(57)【要約】【課題】  連窓に対して、防火性能を付与する。【解決手段】  支持鋼材と、ロックウール部と、竪枠支持部と、竪枠とを備え、支持鋼材は、躯体開口部の屋外側部分に配置され、上下が躯体開口部に固定されており、ロックウール部は、支持鋼材の屋外側に支持鋼材を覆うように支持されており、竪枠支持部は、支持鋼材の屋内側に設けられており、竪枠は、支持鋼材の屋内側に設けられた竪枠支持部に固定されている。【選択図】図３
2020176421.tif 000002
【特許請求の範囲】
【請求項１】
支持鋼材と、ロックウール部と、竪枠支持部と、竪枠とを備え、
支持鋼材は、躯体開口部の屋外側部分に配置され、上下が躯体開口部に固定されており、
ロックウール部は、支持鋼材の屋外側に支持鋼材を覆うように支持されており、
竪枠支持部は、支持鋼材の屋内側に設けられており、
竪枠は、支持鋼材の屋内側に設けられた竪枠支持部に固定されている防火建具。
【発明の詳細な説明】
【技術分野】
【０００１】
建物開口部に配置される連窓に対して、防火性能を備えるように改修することができる防火建具に関する。
【背景技術】
【０００２】
従来、建物開口部に配置される連窓において、左右の窓を連結する連窓方立が知られている。
【先行技術文献】
【非特許文献】
【０００３】
【非特許文献１】「ビル建材サッシ総合カタログ  ビル用サッシ」三協立山株式会社  三協アルミ社  ｐ．２−３  ｐ．５３０−５３１
【発明の概要】
【発明が解決しようとする課題】
【０００４】
上記先行技術文献に記載された連窓方立は、防火性能を備えるものではないが、近年、連窓においても防火性能が求められている。
【０００５】
本発明は、連窓に対して、防火性能を付与することを目的とする。
【課題を解決するための手段】
【０００６】
一実施形態は、支持鋼材と、ロックウール部と、竪枠支持部と、竪枠とを備え、支持鋼材は、躯体開口部の屋外側部分に配置され、上下が躯体開口部に固定されており、ロックウール部は、支持鋼材の屋外側に支持鋼材を覆うように支持されており、竪枠支持部は、支持鋼材の屋内側に設けられており、竪枠は、支持鋼材の屋内側に設けられた竪枠支持部に固定されている防火建具である。
【発明の効果】
【０００７】
本実施形態の防火建具の構成により、連窓に対して防火性能を付与することができる。
【図面の簡単な説明】
【０００８】
【図１】一実施形態に係る防火改修建具により改修される前の連窓の図であり、（ａ）は外観図、（ｂ）は（ａ）のｙ１−ｙ１部分の横断面図である。
【図２】一実施形態に係る防火改修建具により改修された連窓の図であり、（ａ）は外観図、（ｂ）は（ａ）のｙ２−ｙ２部分の横断面図である。
【図３】第１の実施形態に係る防火改修建具の連窓方立の横断面図である。
【図４】第１の実施形態に係る防火改修建具の竪断面図である。
【図５】第２の実施形態に係る防火改修建具の連窓方立の横断面図である。
【図６】第２の実施形態に係る防火改修建具の竪断面図である。
【図７】第３の実施形態に係る防火改修建具の連窓方立の横断面図である。
【図８】第３の実施形態に係る防火改修建具の竪断面図である。
【図９】第４の実施形態に係る防火改修建具の連窓方立の横断面図である。
【図１０】第４の実施形態に係る防火改修建具の竪断面図である。
【発明を実施するための形態】
【０００９】
本発明の一実施形態は、建物開口部に配置されている既設の連窓建具を防火性能を備えた建具に改修することのできる防火改修建具である。
【００１０】
本実施形態の防火改修建具によって改修される連窓建具は、例えば、図１（ａ）に示すように、既設方立２０の左右に既設建具１０，１０が配置されてなる２連の連窓建具である。
既設方立２０は、図１（ｂ）に示すように、矩形中空部を有しており、中空部の左右両側に既設建具１０，１０を構成する既設竪枠１３，１３が固定されている。
【００１１】
図１（ａ）に示す２連の既設の連窓建具は、本実施形態の防火改修建具によって、例えば、図２（ａ）に示すような３連の連窓建具に改修される。
改修された連窓建具は、改修方立５０と、新設建具３０を有しており、改修方立５０は、図２（ｂ）に示すように、躯体開口部の屋外側部分に配置されて上下が躯体に固定された支持鋼材６０と、支持鋼材６０の屋外側に配置され、支持鋼材６０の屋外側を覆うとともに支持鋼材６０に支持されるロックウール部７０と、支持鋼材６０の屋内側に支持される竪枠支持部８０を有している。
【００１２】
新設建具３０は、新設上枠３１と、新設下枠３２と、左右の新設竪枠３３，３３を有しており、改修方立５０の左右に防火性能を備える新設建具３０が配置されることで、全体として防火連窓建具（防火改修建具）を構成している。
以下、本実施形態の防火改修建具に関して、特に、防火性能を有する方立に改修するための構成について、図面を参考に説明する。
【００１３】
なお、本実施形態の防火改修建具においては、既設の連窓建具の既設方立２０及び既設方立２０に支持される既設竪枠１３は撤去され、既設上枠、既設下枠及び躯体開口部に支持される既設竪枠は撤去されずに残存している。なお、既設下枠１２のレールは、必要に応じて切除してもよい。
【００１４】
−第１の実施形態−
図３，４に示すように、第１の実施形態の改修方立５０の支持鋼材６０は、スチール等の金属材料からなり、断面が矩形中空形状を有する長尺の部材からなる。
なお、支持鋼材６０は、中実部材であってもよく、また、断面略Ｕ字状若しくはＬ字状等の板材を複数組み合わせることによって中空形状を形成したものであってもよい。
【００１５】
支持鋼材６０は、躯体開口部の上方位置から下方位置にわたる長さ寸法を有する長尺部材であり、上端部及び下端部が躯体開口部に固定されている。
例えば、支持鋼材６０は、屋外側見付壁６０ａの上端部が躯体開口部に埋設されたアンカー部材Ｃに固定された断面略Ｌ状の上取付金具６１ａにビス等の固定手段ｂ１により固定されているとともに、屋外側見付壁６０ａの下端部が躯体開口部に埋設されたアンカー部材Ｃに固定された断面略Ｌ状の下取付金具６１ｂにビス等の固定手段ｂ１により固定されている。
なお、アンカー部材Ｃは、既設のアンカー部材を利用してもよいが、支持鋼材６０の取付位置にあわせて新たに設けてもよい。
【００１６】
支持鋼材６０の屋外側には、ロックウール部７０が配置されている。
ロックウール部７０は、支持鋼材６０とほぼ同じ長さ寸法を有する長尺の部材である。
【００１７】
ロックウール部７０は、スチールやアルミ合金等の金属材料からなり、屋内側が開口した断面矩形の枠部材７１と、枠部材７１の内部に充填されるロックウール７２と、スチール等の金属材料からなり、枠部材７１の長さ方向の適宜位置において枠部材７１に取り付けられた固定金具７３を有している。
【００１８】
固定金具７３は、枠部材７１がスチールの場合には、平面視略Ｌ字状の取付部７３ｂ，７３ｂのみから構成され、枠部材７１の長手方向複数位置に直接取り付けられている。
枠部材７１がアルミ合金の場合には、固定金具７３は、枠部材７１の内周にほぼ全長に亘って配置される枠部材支持部７３ａと平面視略Ｌ字状の取付部７３ｂ，７３ｂを有し、取付部７３ｂ，７３ｂが枠部材支持部７３ａを介して枠部材７１の長手方向複数位置に取付けられている。
【００１９】
固定金具７３の取付部７３ｂ，７３ｂは、見込壁が枠部材７１の屋内側に設けられた開口から屋内側に突出しており、ロックウール部７０は、固定金具７３の取付部７３ｂ，７３ｂが支持鋼材６０の左右の見込壁６０ｂ，６０ｂにネジ等の固定手段ｂ２により固定されることで、支持鋼材６０の屋外側に支持固定されている。
【００２０】
一方、支持鋼材６０の屋内側には、竪枠支持部８０が配置されている。
本実施形態の竪枠支持部８０は、スチールやアルミ合金等の金属材料からなり、屋内側見付壁８０ａと、屋外側見付壁８０ｂと、左右の見込壁８０ｃ，８０ｃを有する断面略矩形中空形状を有する長尺の部材であり、必要に応じて屋内側下方部位に切欠き部が設けられている。
【００２１】
支持鋼材６０の屋内側に配置された竪枠支持部８０は、支持鋼材６０の屋内側に固定された連結材８５を介して支持鋼材６０に固定されている。
連結材８５は、見付壁８５ａと、見付壁８５ａの左右両端より屋外側に延設された左、右見込壁８５ｂ，８５ｂを有し、左、右見込壁８５ｂ，８５ｂが支持鋼材６０の左右の見込壁６０ｂ，６０ｂにネジ等の固定手段ｂ３により固定されている。
【００２２】
そして、断面略矩形中空形状の竪枠支持部８０の屋外側見付壁８０ｂを連結材８５の見付壁８５ａにビス等の固定手段ｂ４により固定することで、竪枠支持部８０が支持鋼材６０に固定されている。
【００２３】
第１の実施形態の新設建具３０の新設竪枠３３は、外周側に複数のリブを有しており、竪枠支持部８０の左右の見込壁８０ｃ，８０ｃに対してスペーサ９００を挟んで配置され、竪枠支持部８０に対してビス等の固定手段ｂ５によって固定されている。
なお、必要に応じて、竪枠支持部８０と竪枠支持部８０に固定された新設竪枠３３の屋内側に、竪枠支持部８０と新設竪枠３３の間を塞ぐ防水シート等のシール材ｓが貼付されている。
【００２４】
竪枠支持部８０の屋内側には、スチールやアルミ合金等の金属材料からなるカバー支持金具９５が配置されている。
カバー支持金具９５は、見付壁９５ａと、見付壁９５ａの左右両端部が屋外側に延設された見込壁９５ｃ，９５ｃを有しており、見付壁９５ａが竪枠支持部８０の屋内側見付壁８０ａにネジ等の固定手段ｂ６により固定されている。
【００２５】
竪枠支持部８０及び竪枠支持部８０の左右に配置された新設竪枠３３，３３の屋内側を覆うように、スチールやアルミ合金等の金属材料からなる屋内側カバー９０が配置されている。
屋内側カバー９０は、見付壁９０ａと、見付壁９０ａの左右両端部が屋外側に延設された見込壁９０ｃ，９０ｃを有しており、見込壁９０ｃ，９０ｃがビス等の固定手段ｂ７によりカバー支持金具９５の見込壁９５ｃ，９５ｃに固定されている。
なお、屋内側カバー９０は、合成樹脂等によって形成されてもよく、屋内側カバー９０とカバー支持金具９５は、ビス等の固定手段ｂ７により、新設竪枠３３の見込壁部３３ａに共締め固定されてもよい。
【００２６】
支持鋼材６０の上取付金具６１ａとアンカー部材Ｃとの取付け部位及び下取付金具６１ｂとアンカー部材Ｃとの取付け部位には、モルタルやロックウール等の耐火性を備える材料Ｄが充填されており、ロックウール部７０と躯体開口部との間には、コーキング材Ｅが充填されている。
また、ロックウール部７０の左右屋内側面と新設竪枠３３，３３の屋外側面との間には、コーキング材Ｅが充填されている。
【００２７】
−第２の実施形態−
第２の実施形態の防火改修建具は、主に、新設建具３０の窓枠の形状及び取付のための構成が第１の実施形態の防火改修建具と相違している。なお、既設下枠の屋外側下レール１２ａは切除されていない。
以下、図面を参考にして第２の実施形態の防火改修建具について説明するが、第１の実施形態の防火改修建具と同じ構成については、一部説明を省略する。
【００２８】
図５，６に示すように、第２の実施形態の改修方立５０の支持鋼材６０は、第１の実施形態の支持鋼材６０と同様に、スチール等の金属材料からなり、断面が矩形中空形状を有する長尺の部材からなる。
【００２９】
支持鋼材６０の屋外側には、ロックウール部７０が配置されている。
ロックウール部７０は、第１の実施形態のロックウール部７０に比べて見付け寸法が大きく形成されているが、他の構成については、同様であるので説明は省略する。
【００３０】
支持鋼材６０の屋内側には、竪枠支持部８０が配置されている。
竪枠支持部８０は、スチールやアルミ合金等の金属材料からなり、屋内側見付壁８０ａと、屋外側見付壁８０ｂと、左右の見込壁８０ｃ，８０ｃを有する断面略矩形中空形状を有する長尺の部材であり、必要に応じて屋内側下方部位に切欠き部が設けられている。
そして、第２の実施形態の竪枠支持部８０は、第１の実施形態の竪枠支持部８０に比べて見付け寸法が大きく形成されている。
なお、支持鋼材６０の屋内側に配置される竪枠支持部８０の見付け寸法は限定されるものではない。例えば、第２の実施形態の防火改修建具において、第１の実施形態の竪枠支持部８０を採用してもよく、竪枠支持部８０の寸法、形状等は、特に限定されない。
【００３１】
支持鋼材６０の屋内側に配置された竪枠支持部８０は、支持鋼材６０の屋内側に固定された連結材８５を介して支持鋼材６０に固定されている。
【００３２】
竪枠支持部８０は、左右の見込壁８０ｃ，８０ｃに竪枠取付部材８６，８６がビス等の固定手段ｂ８によって固定されている。
竪枠取付部材８６，８６は、竪枠支持部８０の左右の見込壁８０ｃ，８０ｃに固定される見込壁８６ａと、見込壁８６ａの室内側端に連続する室内側取付片８６ｂと、見込壁８６ａの室外側端に連続する室外側取付片８６ｃを有している。
【００３３】
第２の実施形態の新設建具３０の新設竪枠３３は、見込壁部３３ａと、見込壁部３３ａの室内側に連続する室内側壁部３３ｂと、見込壁部３３ａの室外側に連続する室外側壁部３３ｃを有しており、室外側壁部３３ｃの外周に、室内側に延設された後に外周側に延設されてなる室外側取付部３３ｄが設けられている。
【００３４】
そして、新設竪枠３３は、室内側壁部３３ｂが竪枠取付部材８６の室内側取付片８６ｂにビス等の固定手段ｂ９によって固定され、室外側取付部３３ｄが竪枠取付部材８６の室外側取付片８６ｃにビス等の固定手段ｂ１０によって固定されることで、竪枠支持部８０に支持されている。
【００３５】
竪枠支持部８０及び竪枠支持部８０の左右に配置された新設竪枠３３，３３の屋内側を覆うように、スチールやアルミ合金等の金属材料からなる屋内側カバー９０が配置されており、屋内側カバー９０の見込壁９０ｃ，９０ｃが竪枠取付部材８６の室内側取付片８６ｂにビス等の固定手段ｂ１１によって固定されている。
【００３６】
なお、第２の実施形態の防火改修建具においては、新設窓枠が既設窓枠に対して屋外側に配置されており、必要に応じて新設建具３０の新設上枠３１の屋外側と躯体開口部の間にコーキング材Ｅ１が充填されている。
また、第２の実施形態の防火改修建具においては、新設建具３０の新設上枠３１の屋内側及び新設下枠３２の屋内側に、既設上枠１１及び既設下枠１２を覆うように上カバー部材３１１及び下カバー部材３２１が配置されており、上カバー部材３１１と躯体開口部の間及び下カバー部材３２１と躯体開口部の間には、必要に応じてコーキング材Ｅ２が充填されている。
【００３７】
−第３の実施形態−
第３の実施形態の防火改修建具は、改修方立の竪枠支持部が支持鋼材の室内側に一体的に設けられている点で第１の実施形態の防火改修建具と相違している。
以下、図面を参考にして第３の実施形態の防火改修建具について説明するが、第１の実施形態の防火改修建具と同じ構成については、一部説明を省略する。
【００３８】
図７，８に示すように、第３の実施形態の改修方立５０の支持鋼材６０は、屋外側見付壁６０１ａと、室内側見付壁６０１ｂと、左右の見込壁６０１ｃ，６０１ｃを有しており、躯体開口部に対して固定される支持鋼材６０としての機能を有する支持鋼材部６０１と、支持鋼材部６０１の室内側に一体的に形成された竪枠支持部８０１を有している。
【００３９】
支持鋼材部６０１（支持鋼材６０）は、躯体開口部の上方位置から下方位置にわたる長さ寸法を有する長尺部材であり、上端部及び下端部が上取付金具６１ａ及び下取付金具６１ｂを介して躯体開口部に固定されている。
【００４０】
竪枠支持部８０１は、支持鋼材部６０１の左右の見込壁６０１ｃ，６０１ｃが室内側に連続して延びて形成され、上下には切欠きが設けられており、躯体開口部もしくは既設上枠１１及び既設下枠１２に対して離間している。
【００４１】
第３の実施形態の新設建具３０の新設竪枠３３は、第１の実施形態の新設竪枠３３と同様に、外周側に複数のリブを有しており、竪枠支持部８０１を構成する左右の見込壁６０１ｃ，６０１ｃに対してスペーサ９００を挟んで配置され、竪枠支持部８０１に対してビス等の固定手段ｂ５によって固定されている。
【００４２】
その他、本実施形態の防火改修建具は、支持鋼材６０の屋外側には、ロックウール部７０が配置されている。
また、本実施形態の防火改修建具は、竪枠支持部８０１を構成する室内側見付壁６０１ｂに、スチールやアルミ合金等の金属材料からなるカバー支持金具９５がネジ等の固定手段ｂ６により固定されており、カバー支持金具９５を介して屋内側カバー９０が配置されている。
【００４３】
−第４の実施形態−
第４の実施形態の防火改修建具は、改修方立の竪枠支持部が支持鋼材の室内側に一体的に設けられている点で第２の実施形態の防火改修建具と相違している。
また、第４の実施形態の防火改修建具は、竪枠支持部の見付寸法が第２の実施形態に比べて小さく、新設竪枠を取り付けるための竪枠取付部材の構成が第２の実施形態の防火改修建具と相違している。
以下、図面を参考にして第４の実施形態の防火改修建具について説明するが、第２の実施形態の防火改修建具と同じ構成については、一部説明を省略する。
【００４４】
図９，図１０に示すように、第４の実施形態の改修方立５０の支持鋼材６０は、第３の実施形態の改修方立５０と同様に、屋外側見付壁６０１ａと、室内側見付壁６０１ｂと、左右の見込壁６０１ｃ，６０１ｃを有しており、躯体開口部に対して固定される支持鋼材６０としての機能を有する支持鋼材部６０１と、支持鋼材部６０１の室内側に一体的に形成された竪枠支持部８０１を有している。
【００４５】
支持鋼材部６０１（支持鋼材６０）は、躯体開口部の上方位置から下方位置にわたる長さ寸法を有する長尺部材であり、上端部及び下端部が上取付金具６１ａ及び下取付金具６１ｂを介して躯体開口部に固定されている。
【００４６】
竪枠支持部８０１は、支持鋼材部６０１の左右の見込壁６０１ｃ，６０１ｃが室内側に連続して延びて形成され、上下には切欠きが設けられており、躯体開口部もしくは既設上枠１１及び既設下枠１２に対して離間している。
【００４７】
第４の実施形態の竪枠支持部８０１は、左右の見込壁６０１ｃ，６０１ｃに竪枠取付部材８７，８７がビス等の固定手段ｂ８によって固定されている。
竪枠取付部材８７，８７は、竪枠支持部８０１の左右の左右の見込壁６０１ｃ，６０１ｃに固定される見込壁８７ａと、見込壁８７ａの室内側端から新設竪枠側に延びる室内側取付片８７ｂと、見込壁８７ａの室外側端から新設竪枠３３に延びる室外側取付片８７ｃを有しており、第２の実施形態の竪枠取付部材８６，８６に比べて、竪枠支持部８０１から離れた位置で新設竪枠３３を支持することが可能である。
【００４８】
第４の実施形態の新設建具３０の新設竪枠３３は、見込壁部３３ａと、見込壁部３３ａの室内側に連続する室内側壁部３３ｂと、見込壁部３３ａの室外側に連続する室外側壁部３３ｃを有しており、室外側壁部３３ｃの外周に、室内側に延設された後に外周側に延設されてなる室外側取付部３３ｄが設けられている。
【００４９】
そして、新設竪枠３３は、室内側壁部３３ｂが竪枠取付部材８７の室内側取付片８７ｂにビス等の固定手段ｂ９によって固定され、室外側取付部３３ｄが竪枠取付部材８７の室外側取付片８７ｃにビス等の固定手段ｂ１０によって固定されることで、竪枠支持部８０１に支持されている。
【００５０】
竪枠支持部８０１及び竪枠支持部８０１の左右に配置された新設竪枠３３，３３の屋内側を覆うように、スチールやアルミ合金等の金属材料からなる屋内側カバー９０が配置されており、屋内側カバー９０の見込壁９０ｃ，９０ｃが竪枠取付部材８７の室内側取付片８７ｂにビス等の固定手段ｂ１１によって固定されている。
【００５１】
上記各実施形態の防火改修建具によって既設の連窓を改修するに際しては、既設の連窓から既設連窓の既設方立２０及び既設方立２０に固定されている既設竪枠１３を撤去した後、既設の窓枠の屋外側部分に、竪枠支持部８０が設けられた支持鋼材６０を固定すればよい。
そして、支持鋼材６０によって躯体開口部に強固に固定された竪枠支持部８０に新設竪枠３３を取り付けることによって新設窓枠を簡単に施工することができる。
【００５２】
その後、支持鋼材６０の屋外側にロックウール部７０を固定するとともに、竪枠支持部８０及び新設竪枠３３の屋内側に屋内側カバー部材９０を固定して、必要に応じて、新設竪枠３３もしくは躯体開口部との間にコーキング材等を充填するなど仕上げ処理を施せばよい。
【００５３】
このように、上記各実施形態の防火改修建具は、既設方立が撤去された既設の連窓の屋外側の躯体開口部分に、竪枠支持部８０があらかじめ設けられた支持鋼材６０を固定して、竪枠支持部８０によって新設竪枠３３を強固に支持するので、既設窓枠に対して新設の方立を自由に配置することができ、既設上枠及び既設下枠の形状、構造に影響を受けることなく、簡単な施工により躯体開口部に所望の防火連窓を配置することができる。
【００５４】
なお、第３及び第４の実施形態の防火改修建具は、改修方立の竪枠支持部が支持鋼材に一体的に設けられているので、さらに施工性が良好である。
【００５５】
また、以上の実施形態の防火改修建具においては、竪枠支持部は支持鋼材に支持されているが、必要に応じて既設窓枠や躯体開口部等に対して一部固定してもよい。その場合であっても、防火改修建具の竪枠支持部は支持鋼材に固定されているので、躯体開口部に対する固定を簡単な構成とすることができる。
【００５６】
また、防火改修建具は、既設上枠と新設上枠との間、既設下枠と新設下枠との間、既設竪枠と新設竪枠との間に、必要に応じてモルタルやロックウール等の耐火性を備える材料を充填してもよい。
【００５７】
また、防火改修建具は、新設方立５０部分について、竪枠支持部８０の上下に竪枠支持部８０の上下開口を覆う塞ぎ材等の部材を配置して、既設上枠と竪枠支持部８０上面の間、既設下枠と竪枠支持部８０下面の間にモルタルやロックウール等の耐火性を備える材料Ｄ２を充填等してもよい。
【００５８】
なお、本実施形態では、連窓として配置される建具について、引違い窓の例をあげて説明しているが、建具の種類は限定されるものではなく、開き窓であっても、ＦＩＸ窓のいずれもタイプの窓であってもよく、また、窓枠の形状も限定されない。
また、本実施形態の連窓は、既設建具を改修する改修建具として有効なものであるが、本発明は、改修建具に限定されるものではなく、新規に配置される建具であってもよい。
【００５９】
その他、以上の実施形態は，請求項に記載された発明を限定するものではなく，例示として取り扱われることはいうまでもない。
【符号の説明】
【００６０】
３０    ：新設建具
３３    ：新設竪枠
５０    ：改修方立
６０    ：支持鋼材
７０    ：ロックウール部
８０    ：竪枠支持部
８５    ：連結材
９０    ：屋内側カバー
【図１】
2020176421.tif 000003
【図２】
2020176421.tif 000004
【図３】
2020176421.tif 000005
【図４】
2020176421.tif 000006
【図５】
2020176421.tif 000007
【図６】
2020176421.tif 000008
【図７】
2020176421.tif 000009
【図８】
2020176421.tif 000010
【図９】
2020176421.tif 000011
【図１０】
2020176421.tif 000012